(57)【要約】【課題】水生生物のピットから処理装置の一次貯留槽への移送作業を大幅に低減するとともに、腐敗臭防止薬剤を適正量自動的に注入することができるようにした水生生物の処理方法および装置を提供する。【解決手段】陸揚げされた水生生物を、処理システムの一次貯留槽に真空吸引手段を用いて移送し、移送量に対応した最適な量の腐敗臭防止薬剤を自動注入するようにした水生生物の処理方法および装置。【選択図】図１
2005296727.tif 000002
【特許請求の範囲】
【請求項１】
陸揚げされた水生生物を、処理システムの一次貯留槽に移送するに際し、移送量に対応した量の腐敗臭防止薬剤を注入することを特徴とする、水生生物の処理方法。
【請求項２】
前記移送量を計量する、請求項１の水生生物の処理方法。
【請求項３】
陸揚げされた水生生物を真空吸引手段を用いて移送する、請求項１または２の水生生物の処理方法。
【請求項４】
陸揚げされた水生生物が移送される一次貯留槽を備えた処理装置であって、一次貯留槽への水生生物の移送量に対応した量の腐敗臭防止薬剤を注入する手段を有することを特徴とする、水生生物の処理装置。
【請求項５】
前記移送量を計量する手段を有する、請求項４の水生生物の処理装置。
【請求項６】
水生生物の移送手段が真空吸引手段からなる、請求項４または５の水生生物の処理装置。
【発明の詳細な説明】
【技術分野】
【０００１】
本発明は、クラゲ等の水生生物の処理方法および処理装置に関し、臨海プラント、特に原子力発電所や火力発電所で海水を冷却水として大量に取水する取水路のスクリーンで除去、回収されたクラゲ等の水生生物を効率的に処理する水生生物の処理方法および装置に関する。
【背景技術】
【０００２】
原子力発電所や火力発電所等では、海水が冷却水として大量に使用されているが、この海水取水路にはクラゲ等の水生生物が混入する。これらの水生生物を放置すると、取水路の閉塞、冷却取水量の低下を引き起こし、プラントの冷却効率の低下を招く。さらに、プラント機器の故障、稼働率の低下を招き、最終的には発電所の停止等にも繋がり、さまざまな弊害を引き起こすため、取水口にスクリーンを設置し、クラゲ等水生生物を捕捉・排除している。通常、スクリーンに捕捉されたクラゲ等は、一定負荷（一定量）に到達すると排出される。このときスクリーンより排除されたクラゲ等は海水と分離するため、一時ピットに貯留され、その後分解、腐敗臭防止等のための処理が施される。
【０００３】
特許文献１には、海水と分離されたクラゲ等の水生生物を、空気遮断の密閉タンク内に数日間貯留してクラゲを液状化する処理方法が提案されているが、大量に捕捉された水生生物を密閉タンク内に空気と遮断された状態にて数日間も貯留するのは、設備的にも操作的にも現実的ではない。したがって、通常は、このような大がかりな空気遮断構造等は採らずに、海水と分離されたクラゲ等の水生生物を処理システムの一次貯留槽に移送したのち、物理化学処理手段によって処理されている。
【０００４】
ところが、従来、上記のような処理システムの一次貯留槽に、水生生物をピットから移送する際には、人手による作業が主であった。このため、クラゲが大量に発生する時期には、昼夜クラゲの移送を行わなければならず、作業が煩雑になるととともにその作業負荷が大きなものとなっていた。また、陸揚げされたクラゲ等の水生生物は放置するとすぐに腐敗が始まり、硫化水素等の臭気物質を発生するため、周辺住民からの苦情などの問題が生じていた。
【０００５】
腐敗臭の発生を防止するために、腐敗臭防止薬剤を添加する各種の手法が提案されている。例えば、本出願人による先の提案である特許文献２における物理化学処理手段では、クラゲ等の水生生物を処理装置の一次貯留槽に受け入れた後、腐敗臭を抑制するために迅速に腐敗臭防止薬剤を注入するのだが、この薬剤は不足すると臭気が発生する恐れがあり、また過剰注入では処理後の水のＳＳ負荷を上昇させてしまい、薬剤が無駄になるばかりでなく、後段の物理化学処理における固液分離工程で不利になるため、常に正確な注入量を保つことが望まれている。しかしながら、これら腐敗臭防止薬剤の投与は、これまで人手によりバケツで入れるか、ポンプで注入するため、クラゲ等の水生生物量に対して受け入れた量相応の最適注入量を投与することは困難であった。
【特許文献１】特開２００３−２２５６３９号公報
【特許文献２】特願２００２−３１１５３０号
【発明の開示】
【発明が解決しようとする課題】
【０００６】
本発明の課題は、上記のような従来の問題点に着目し、クラゲ等の水生生物のピットから処理装置の一次貯留槽への受け入れを容易に自動化できるようにし、かつ、実質的に常時移送できるようにして、作業にかかる人手を大幅に低減するとともに、処理スピードを上げて腐敗臭の発生を適切に防止できるようにすることにある。
【０００７】
また、本発明の課題は、クラゲ等の水生生物の陸揚げ量に応じて腐敗臭防止薬剤を適正量自動的に注入することができるようにし、これによって薬注作業を軽減するとともに、薬剤の過不足を防止して水生生物の腐敗臭を確実に抑制することができるようにした、水生生物の処理方法および装置を提供することにある。
【課題を解決するための手段】
【０００８】
上記課題を解決するために、本発明に係る水生生物の処理方法は、陸揚げされた水生生物を、処理システムの一次貯留槽に移送するに際し、移送量に対応した量の腐敗臭防止薬剤を注入することを特徴とする方法からなる。すなわち、一次貯留槽への移送量に対応した最適な量だけ腐敗臭防止薬剤を注入するようにしたものである。
【０００９】
この方法においては、好ましくは上記移送量は計量され、計量された移送量に対応した量の腐敗臭防止薬剤が注入される。計量することにより、容易に最適な腐敗臭防止薬剤を求めることが可能になり、注入量の制御が容易になるとともに、自動注入も容易に可能になる。計量方法はとくに限定されず、注入量制御に供することができるものであれば、好ましくは自動注入に供することができるものであれば、いかなる計量方法でもよい。
【００１０】
また、陸揚げされた水生生物の一次貯留槽への移送手段もとくに限定されず、真空吸引手段やベルトコンベア手段等を用いることができるが、移送手段として真空吸引手段を用いると、海水から分離した水生生物を極めて容易にピット等から一次貯留槽へ直接移送することができる。その結果、移送操作の自動化を一層容易に行うことができるようになるとともに、移送量に応じた薬剤注入操作の自動化も一層容易に行うことができるようになる。
【００１１】
本発明に係る水生生物の処理装置は、陸揚げされた水生生物が移送される一次貯留槽を備えた処理装置であって、一次貯留槽への水生生物の移送量に対応した量の腐敗臭防止薬剤を注入する手段を有することを特徴とするものからなる。
【００１２】
この処理装置としては、上記移送量を計量する手段を有するものが好ましく、また、水生生物の移送手段としては、真空吸引手段からなるものが好ましい。例えば、水生生物を一旦吸引タンク内に溜め込み、一定量毎に自動で一次貯留槽へ移送する手段を用いれば、容易に、移送量に応じた最適な量の腐敗臭防止薬剤を自動制御により注入できるようになる。
【発明の効果】
【００１３】
本発明の水生生物の処理方法および装置によれば、一次貯留槽への水生生物の移送量に対応した適正量だけ腐敗臭防止薬剤を注入するようにしたので、注入量に過不足が生じることがなくなり、水生生物の腐敗臭を確実に抑制することができる。また、一次貯留槽への水生生物の移送操作に応じて薬剤注入を行うので、腐敗臭防止を迅速に且つ的確に、つまり最適な最も早いタイミングで行うことができるようになる。すなわち、水生生物の移送操作と腐敗臭防止薬剤の注入操作とが、互いに連動された状態にて、最適な条件となるように実行される。その結果、両操作とも最も効率のよい効果的な状態で行われることになる。とくに、互いに連動された最適な条件にて両操作とも容易に自動化できるようになり、自動化により、従来のような移送作業にかかっていた人手の大幅な低減が可能になるとともに、迅速な処理、最適な薬剤量の注入により腐敗臭の発生をより確実に防止できるようになる。
【発明を実施するための最良の形態】
【００１４】
以下に、本発明の望ましい実施の形態について、図面を参照しながら説明する。
図１は、本発明の一実施態様に係る水生生物の処理装置を示している。図１において、１は水生生物の処理装置の本発明に係る部分を示しており、本処理処理装置部分１からの被処理物は、例えば凝集処理や固液分離処理等を含む後段の処理工程２へ送られる。海水の取水路におけるスクリーン（図示略）に捕捉されたクラゲ等の水生生物３は、例えば傾斜底面を有するピット４に貯留され、海水５と分離される。海水５と分離された水生生物３は、本実施態様では、真空吸引手段としての真空吸引装置６により、ピット４内から吸引され、処理システムの一次貯留槽７に移送される。この真空吸引装置６は、吸引管８を介して吸引した水生生物３を一旦吸引タンク９内に溜め込み、吸引タンク９内における貯留量（貯留重量）が予め設定された一定量（一定重量）に達したら、開閉ドア１０が自動的に開かれ、吸引タンク９内の水性生物３が下方の移送室１１へと落下されるようになっている。移送室１１へ落下された水性生物３は、ポンプ（図示略）を介して、あるいは重力を利用した自然落下により、移送管１２を介して一次貯留槽７へと移送される。
【００１５】
このような水性生物３の移送に伴って、薬注装置１３から、水性生物３の移送量に対応した最適な量の腐敗臭防止薬剤１４が注入される。本実施態様では、腐敗臭防止薬剤１４は、薬剤タンク１５内に貯留されており、そこから吸い上げ管１６、薬注ポンプ１７、注入管１８を介して一次貯留槽７に注入されるようになっているが、水性生物３の移送管１２あるいは移送ラインのいずれかの部位に注入することも可能である。腐敗臭防止薬剤１４としては、例えば、塩化第二鉄、硫酸第二鉄、アルミン酸ナトリウムなどを使用できる。
【００１６】
前記真空吸引装置６における吸引タンク９は、その中に一定量（一定重量）の水生生物３が貯留されると開閉ドア１０が開き、移送室１１を介して水生生物３を一次貯留槽７に移送するようになっているので、この真空吸引装置６は、実質的に、水生生物３の移送量を計量する手段も兼用している。この一定量毎に移送される水生生物３の移送量が、例えば開閉ドア１０の開回数×予め設定された吸引タンク９の貯留量で算出される値として、制御装置１９で計量され、制御装置１９から制御ライン２０を介して送られる制御信号に応じて、薬注ポンプ１７が作動されるようになっている。したがって、水生生物３が実際に移送された量に対応した、最適な量の腐敗臭防止薬剤１４が、自動的に一次貯留槽７に注入される。
【００１７】
このように構成された水生生物の処理装置１においては、ピット４で海水５と分離された水生生物３は、真空吸引装置６を介して、自動的に、かつ実質的に常時、一次貯留槽７へと移送されることになるので、水生生物３の捕捉量に関わらず、従来のような移送作業に要する人手は大幅に低減され、実質的に無人化も可能となり、作業効率が大幅に向上される。
【００１８】
また、一次貯留槽７へ移送すると同時に、添加する腐敗臭防止薬剤１４の注入量の制御を、計量機能も兼ね備えた真空吸引装置６と連動させて行うので、過不足なく水生生物３の移送量に対応した最適な量の腐敗臭防止薬剤１４を、迅速に最適なタイミングで注入することができる。その結果、腐敗臭の発生は確実に防止され、かつ、その腐敗臭防止が、無駄な薬剤を使用することなく、最も効率のよい条件で実行されることになる。しかも、従来人手で投入していた腐敗臭防止薬剤１４が、自動注入できるようになるので、この注入作業も大幅に軽減され、実質的に無人化も可能となる。
【図面の簡単な説明】
【００１９】
【図１】本発明の一実施態様に係る水生生物の処理装置の概略構成図である。
【符号の説明】
【００２０】
１  水生生物の処理装置
２  後段の処理工程
３  水生生物
４  ピット
５  海水
６  真空吸引装置
７  一次貯留槽
８  吸引管
９  吸引タンク
１０  開閉ドア
１１  移送室
１２  移送管
１３  薬注装置
１４  腐敗臭防止薬剤
１５  薬剤タンク
１６  吸い上げ管
１７  薬注ポンプ
１８  注入管
１９  制御装置
２０  制御ライン
【図１】
2005296727.tif 000003